(57)【要約】【課題】装置本体を長期に亘って保管しても、レベリングボルトを確実に保護することができ、且つ装置本体を設置した状態で取り外すことのできるレベリングボルトの保護カバーを提供する。【解決手段】装置本体の下面に螺合された棒状のネジ部と、ネジ部の下端に連設されて設置面上に設置される頭部とを備え、頭部がネジ部の外径に比して大径に設定されるとともに、外部からネジ部の軸心回りに回転力を付与可能に構成されたレベリングボルトの保護カバーであって、ネジ部の軸心に対して直交方向で組み合わせることで、装置本体の下面から下方に突出したネジ部を収容するネジ収容部と、ネジ収容部に連設されて前記頭部を収容する頭収容部とを形成する複数の分割成形体で構成され、頭収容部は頭部に回転力を伝達可能に構成されるとともに下方側に移動した頭部が設置面に接触可能に構成されてなる。【選択図】          図１
2005011244.tif 000002
【特許請求の範囲】
【請求項１】
装置本体の下面に螺合された棒状のネジ部と、該ネジ部の下端に連設されて設置面上に設置される頭部とを備え、前記頭部が、ネジ部の外径に比して大径に設定されるとともに、外部からネジ部の軸心回りに回転力を付与可能に構成されたレベリングボルトの保護カバーであって、前記ネジ部の軸心に対して直交する方向で互いに組み合わせることで、装置本体の下面から下方に突出したネジ部を収容するネジ収容部と、該ネジ収容部に連設されて前記頭部を収容する頭収容部とを形成する複数の分割成形体で構成され、前記頭収容部は、前記頭部に対して軸心回りの回転力を伝達可能に構成されるとともに、下方側に移動した頭部が設置面に接触可能に構成されてなることを特徴とするレベリングボルトの保護カバー。
【請求項２】
前記複数の分割成形体は、組み合わされることで、ネジ収容部に収容したネジ部の軸心回りの回転力を外部から付与可能となるように構成されてなる請求項１記載のレベリングボルトの保護カバー。
【請求項３】
前記複数の分割成形体は、外面に平面状のトルク伝達面を有し、該トルク伝達面は、分割成形体が組み合わされた状態で、ネジ収容部に収容したネジ部の軸心を基準にして対称となるように形成されてなる請求項１又は２記載のレベリングボルトの保護カバー。
【請求項４】
各分割成形体の組み合わせ面には、互いに係合する係合爪が突設されてなる請求項１乃至３の何れかに記載のレベリングボルトの保護カバー。
【発明の詳細な説明】
【０００１】
【発明の属する技術分野】
本発明は、自動販売機や機械装置等の装置本体の下面に、上下方向に移動可能に螺合されたレベリングボルトの保護カバーに関する。
【０００２】
【従来の技術】
従来から、自動販売機や機械装置等の装置本体として、設置面に対して装置本体の水平レベルを調整するレベリングボルトを備えたものが周知である。
【０００３】
かかるレベリングボルトは、図４及び図５に示す如く、装置本体Ａの下面に螺合する棒状のネジ部１０１と、ネジ部１０１の一端に連設されてネジ部１０１の軸心回りの回転力を外部から付与可能に構成された頭部１０２とを備えている。
【０００４】
具体的には、前記頭部１０２は、ネジ部１０１の一端に連設され、モンキレンチやスパナレンチ等の工具（以下、単に工具という）により回転力を伝達可能に断面六角形状をなすトルク伝達部１０３と、該トルク伝達部１０３に連設されて設置面Ｇに設置される設置部１０４とで構成されている。
【０００５】
前記設置部１０４は、トルク伝達部１０３の外径よりも大きく設定された略円板状に形成されており、トルク伝達部１０３を工具を用いて回転させるに際し、設置面Ｇと工具とが接触せずに、頭部１０２を円滑に回転させ得るように設けられている。
【０００６】
上記構成のレベリングボルト１００を備えた装置本体Ａが、運搬等される場合には、レベリングボルト１００のネジ部１０１や頭部１０２の破損等を防止すべく、レベリングボルト１００の装置本体Ａから突出した部分（ネジ部１０１や頭部１０２）を包囲するように保護カバーが取り付けられる。
【０００７】
かかる保護カバーは、レベリングボルト１００のネジ部１０１が挿通される被挿通部材１１０と、該被挿通部材１１０に外嵌する筒状の外嵌部材１１１とで構成されている。
【０００８】
前記被挿通部材１１０は、長手方向に所定間隔を有して複数の穴１１２が穿設された帯状の段ボール紙を長手方向に複数回折り畳むことで、立体的に形成され、前記複数の穴１１２が重なり合って前記レベリングボルト１００を挿通する挿通穴１１２’が形成されたものである。
【０００９】
また、前記段ボール紙は、各穴１１２に対応して穴１１２に連通したスリット１１３が短手方向に形成されており、当該段ボール紙を折り畳むことで形成された被挿通部材１１０には、挿通穴１１２’と同様に、スリット１１３が重なり合って上下に連続する溝１１３’が形成されている。該溝１１３’は、装置本体Ａを設置する際に、当該被挿通部材１１０をレベリングボルト１００のネジ部１０１から離脱させるためのものである。
【００１０】
該被挿通部材１１０は、挿通穴１１２’にネジ部１０１を挿通した状態で、該ネジ部１０１が装置本体Ａの下面に螺合されることで、レベリングボルト１００の頭部１０２と装置本体Ａの下面との間のネジ部１０１を包囲して保護するようになっている。
【００１１】
前記外嵌部材１１１は、紙管で構成されており、装置本体Ａの下面から突出したレベリングボルト１００のネジ部１０１と頭部１０２とを完全に覆うことのできる長さに設定されている。
【００１２】
該外嵌部材１１１は、被挿通部材１１０に対して外嵌することで、被挿通部材１１０が溝１１３’を介してレベリングボルト１００から自然に離脱するのを防止するとともに、頭部１０２を包囲して保護した状態で、装置本体Ａを支持できるようになっている。
【００１３】
つまり、外嵌部材１１１を取り付けることで、レベリングボルト１００の頭部１０２を設置面Ｇに接触させることなく、レベリングボルト１００における装置本体Ａから突出した部分の全てを保護できるようになっている。
【００１４】
これにより、装置本体Ａを運搬したり設置したりする際に、ネジ部１０１が破損（曲がったり、ねじ山が傷ついたり）してレベル調整ができなくなったり、レベリングボルト１００が傷付いて商品価値が低下したりするといった事態となるのを防止するようにしている。
【００１５】
【発明が解決しようとする課題】
しかしながら、上記構成の保護カバーは、段ボール紙製の被挿通部材１１０及び紙管製の外嵌部材１１１とで構成されているため、装置本体Ａを長期に亘って保管する場合には、当該保護カバーは湿気や水分を含む場合があり、長期に亘って定型を維持することができない場合があった。そのため、レベリングボルト１００を長期に亘って確実に保護できないといった問題が生じる場合があった。
【００１６】
また、上記構成の保護カバーは、レベリングボルト１００全体を保護すべく、外部からの回転力を伝達可能に構成された頭部１０２までもが、外嵌部材１１１に覆われているため、装置本体Ａを設置する際に、予め外嵌部材１１１を取り外した状態で装置本体Ａを設置しなければレベリングボルト１００を回転させることが出来ず、装置本体Ａの水平レベルを調節することができなかった。
【００１７】
つまり、一旦運搬車両から装置本体Ａを下ろしてしまうと、外嵌部材１１１を抜き取ることができる高さまで、再度装置本体Ａをクレーンやリフト等で持ち上げて外嵌部材１１１を取り外さなければ、装置本体Ａの水平レベルを調節することができず、作業の二度手間が生じる場合もあった。
【００１８】
そこで、本発明は、斯かる実情に鑑み、装置本体を長期に亘って保管しても、レベリングボルトを確実に保護することができ、且つ装置本体を設置した状態で取り外すことのできるレベリングボルトの保護カバーを提供することを課題とする。
【００１９】
【課題を解決するための手段】
本発明にかかるレベリングボルトの保護カバーは、請求項１記載の如く、装置本体の下面に螺合された棒状のネジ部と、該ネジ部の下端に連設されて設置面上に設置される頭部とを備え、前記頭部が、ネジ部の外径に比して大径に設定されるとともに、外部からネジ部の軸心回りに回転力を付与可能に構成されたレベリングボルトの保護カバーであって、前記ネジ部の軸心に対して直交する方向で互いに組み合わせることで、装置本体の下面から下方に突出したネジ部を収容するネジ収容部と、該ネジ収容部に連設されて前記頭部を収容する頭収容部とを形成する複数の分割成形体で構成されてなり、前記頭収容部は、前記頭部に対して軸心回りの回転力を伝達可能に構成されるとともに、下方側に移動した頭部が設置面に接触可能に構成されてなることを特徴とする。なお、「成形体」とは、水分が付着しても定型性を維持することのできる材料（樹脂や金属等）で成形したものをいい、「成形」とは、金型に材料を流し込んで行うものの他に、材料を機械加工で削り出して行うもの等を含む概念である。
【００２０】
上記レベリングボルトの保護カバーによれば、レベリングボルトのネジ部の軸心に対して直交する方向で互いに組み合わせることで、装置本体の下面から下方に突出したネジ部を収容するネジ収容部と、該ネジ収容部に連設されて前記頭部を収容する頭収容部とを形成する複数の分割成形体で構成され、前記頭収容部は、前記頭部に対して軸心回りの回転力を伝達可能に構成されるとともに、下方側に移動した頭部が設置面に接触可能に構成されているので、レベリングボルトを包囲するように、複数の分割成形体を組み合わせて保護カバーを形成し、該保護カバーをネジ収容部に収容したネジ部の軸心回りの一方向（ネジ部の締め付け方向）に回転させることで、該回転力が頭収容部を介してレベリングボルトの頭部に伝達され、これにより、ネジ部及び頭部が上方（装置本体本体側）に向けて移動することとなる。
【００２１】
そうすると、レベリングボルトは、頭部がネジ部よりも大径に設定されているので、複数の分割成形体（保護カバー）に対して軸心方向の締め付け力が作用し、当該各分割成形体が装置本体の下面と前記頭部とで狭持された状態となる。これにより、保護カバーは、装置本体から下方に向けて突出したレベリングボルトのネジ部及び頭部を覆った状態で強固に取り付けられ、レベリングボルトの保護を確実なものにすることができる。
【００２２】
また、複数の分割成形体は、ネジ部の軸心に対して直交方向で互いに組み合わせることで、前記ネジ収容部及び頭収容部を形成し、これによって形成された頭収容部は、前記頭部に対して軸心回りの回転力を伝達可能に構成されるとともに、下方側に移動した頭部が設置面に接触可能に構成されているので、組み合わせた複数の分割成形体（保護カバー）をネジ収容部に収容したネジ部の軸心回りの他方向に回転（ネジ部の緩み方向に逆回転）させることで、該締め付け時とは逆の回転力が頭収容部を介してレベリングボルトの頭部に伝達され、ネジ部及び頭部が下方に向けて移動することとなる。
【００２３】
そうすると、レベリングボルトの頭部が装置本体の下面に対して離間することとなり、保護カバーの狭持状態が解除されて最終的に頭部が設置面に接触することとなる。この状態において、保護カバーには装置本体の荷重が作用していない状態となり、各分割成形体をネジ部の軸心に対して直交する方向に移動させるだけで、保護カバーをレベリングボルトから離脱させる（取り外す）ことができる。これにより、一度設置した装置本体をクレーン等で吊り上げたり、リフトで持ち上げたりすることなく、装置本体を設置した状態で、成形体（保護カバー）をレベリングボルトから取り外すことができる。
【００２４】
また、分割成形体は、上述の如く、水分が付着しても定型性を維持可能な材料で成形されているので、装置本体を長期に亘って保管しても、湿気等により形状が崩れることがなく、レベリングボルトを長期に亘って保護することができる。
【００２５】
また、請求項２記載の如く、前記複数の分割成形体は、組み合わされることで、ネジ収容部に収容したネジ部の軸心回りの回転力を外部から付与可能となるように構成されることが好ましい。このようにすれば、装置本体が重量物でネジ部の軸心方向の大きな荷重がかかっていても、組み合わされた複数の分割成形体（保護カバー）を円滑に回転させることができ、装置本体の下面と頭部との狭持状体を容易に解除して保護カバーをレベリングボルトから取り外す（離脱させる）ことができる。
【００２６】
この回転力を付与可能な構成としては、複数の分割成形体を組み合わせた状態で、外形がパイプレンチ等で把持可能な形状となる構成や、複数の分割成形体を組み合わせた状態で、モンキレンチやスパナレンチ等の工具で回転させ得るように、外周面に軸心を基準にして対称な一対の平面を形成する構成、軸心を基準にした対称な平面を複数対形成して断面多角形状にした構成、複数の分割成形体の外周面にネジ部の軸心と交差する方向にハンドルを突設した構成等を採用することができる。なお、ハンドルを設ける場合には、分割成形体に対してハンドルを着脱自在にすることが好ましい。
【００２７】
さらに、請求項３記載の如く、前記複数の分割成形体は、外面に平面状のトルク伝達面を有し、該トルク伝達面は、分割成形体が組み合わされた状態で、ネジ収容部に収容したネジ部の軸心を基準にして対称となるように形成されてなることが好ましい。このようにすれば、モンキレンチやスパナレンチで一対のトルク伝達面を挟むことができ、外部から回転力を成形体に対して確実に付与することができる。これにより、当該成形体の取り外しを容易に行うことができる。
【００２８】
また、請求項４記載の如く、各分割成形体の組み合わせ面には、互いに係合する係合爪が突設されることが好ましい。このようにすれば、分割成形体の組み合わせ状態が不用意に解除されてしまうのを防止することができる。
【００２９】
【発明の実施の形態】
以下、本発明にかかるレベリングボルトの保護カバーの一実施形態について、添付図面を参照して説明する。
【００３０】
本実施形態にかかるレベリングボルトの保護カバーは、図１に示す如く、自動販売機や機械装置等の装置本体Ａを設置する際に、設置面に対する装置本体Ａの水平レベルと調整するレベリングボルト１００を保護するためのものである。本実施形態の保護カバーを説明するに先立って、レベリングボルト１００について概略説明する。
【００３１】
レベリングボルト１００は、装置本体Ａの下面に螺合された棒状のネジ部１０１と、該ネジ部１０１に比して大径に設定されてネジ部１０１の下端に連設された頭部１０２とで構成されている。前記頭部１０２は、ネジ部１０１の軸心回りの回転力を外部から付与可能に形状設定されている。
【００３２】
具体的には、頭部１０２は、前記ネジ部１０１の下端に同軸をなして連設され、ネジ部１０１を軸心周りに回転させるべく、回転力が付与されるトルク伝達部１０３と、該トルク伝達部１０３より大径に設定されてトルク伝達部１０３に連設され、設置面に設置される設置部１０４とで構成されている。
【００３３】
前記トルク伝達部１０３は、モンキレンチやスパナレンチ等の工具（以下、単に工具という）によって回転力を付与すべく、外周面に平面状をなす狭持用平面１０５がネジ部１０１の軸心を基準線にして対称に形成されたものであり、本実施形態にかかるレベリングボルト１００のトルク伝達部１０３は、狭持用平面１０５が三対形成されて軸心方向から見た断面が六角形状をなしている。すなわち、本実施形態にかかるレベリングボルト１００は、略六角ボルト形状をなしている。
【００３４】
上記構成のレベリングボルト１００は、設置部１０４（頭部１０２）を下側にして、ネジ部１０１が装置本体Ａの下面に螺合して取り付けられており、前記頭部１０２（トルク伝達部１０３）に回転力を付与して軸心回りに回転させることで、上下方向（軸心方向）に移動可能に設けられている。つまり、設置部１０４を設置面Ｇに設置して装置本体Ａを支持した状態で、レベリングボルト１００を回転させることで、装置本体Ａの水平レベルを調節することができるようになっている。
【００３５】
装置本体Ａを運搬する際には、上記構成のレベリングボルト１００を保護する保護カバー５０が用いられる。
【００３６】
かかる保護カバー５０は、図１乃至図３に示す如く、互いに組み合わせ可能な複数の分割成形体（本実施形態においては一対の分割成形体５１ａ，５１ｂ）で構成されている。各分割成形体５１ａ，５１ｂは、同一形状をなしており、射出成形により成形されている。
【００３７】
前記一対の分割成形体５１ａ，５１ｂは、レベリングボルト１００を包囲するように、ネジ部１０１の軸心に対して直交方向に組み合わせることで、上下方向に延びる前記レベリングボルト１００のネジ部１０１を収容するネジ収容部６０と、該ネジ収容部６０の下端に連設されてレベリングボルト１００の頭部１０２を収容する頭収容部７０とが形成されるようになっている。
【００３８】
また、一対の分割成形体５１ａ，５１ｂは、互いに組み合わされて保護カバー５０となった際に、外部から回転力を付与可能な形状となるように構成されている。具体的には、各分割成形体５１ａ，５１ｂは、外面に平面状をなすトルク伝達面５２が形成されており、該トルク伝達面５２は、当該一対の分割成形体５１ａ，５１ｂを組み合わせた状態で、上下方向に延びる中心線を基準にして外周面上に略対称となるように形成されている。本実施形態においては、保護カバー５０を形成した状態で、前記中心線（ネジ収容部６０に収容したネジ部１０１の軸心）を基準にそれぞれ対称配置されたトルク伝達面５２が三対形成されるようになっており、前記中心線方向から見た断面における外形が略六角形状をなすようになっている。
【００３９】
一対の分割成形体５１ａ，５１ｂについて、更に具体的に説明すると、各分割成形体５１ａ，５１ｂは、保護カバー５０の外形を形成する分割外周壁部５３ａ，５３ｂと、前記ネジ収容部６０及び頭収容部７０の一部（後述する伝達収容部７１）を形成するための分割内周壁部５４ａ，５４ｂと、前記分割外周壁部５３ａ，５３ｂと分割内周壁部５４ａ，５４ｂとを連結するリブ５５ａ，５５ｂとで構成されている。
【００４０】
各分割成形体５１ａ，５１ｂの分割外周壁部５３ａ，５３ｂは、断面六角形状の筒体を軸心に沿って二分割したうちの一方に相当するものである。一対の分割成形体５１ａ，５１ｂの組み合わせ面になる各分割外周壁部５３ａ，５３ｂにおける周方向の両端部には、係合爪５６ａ，５６ｂが突設されており、分割外周壁部５３ａ，５３ｂの互いの係合爪５６ａ，５６ｂ同士を係合させることで、一対の分割成形体５１ａ，５１ｂが組み合わされて断面六角形状の筒状をなして維持できるようになっている。
【００４１】
該係合爪５６ａ，５６ｂについて、具体的に説明すると、係合爪５６ａ，５６ｂは、分割外周壁部５３ａ，５３ｂの両端部の係合爪５６ａ，５６ｂの何れにおいても、ネジ収容部６０に収容したネジ部１０１の軸心と直交する方向で且つ同方向に突出した突部を有している。したがって、一対の分割外周壁５３ａ，５３ｂの係合爪５６ａ，５６ｂは、分割外周壁５３ａ，５３ｂの組み合わせ方向において、一方の分割外周壁部５３ａの係合爪５６ａの突部と、他方の分割外周壁５３ｂの係合爪５６ｂの突部とが係合する一方、前記組み合わせ方向と直交する方向に一対の分割外周壁５３ａ，５３ｂを相対移動させると、突部同士の係合が解除されるようになっている。
【００４２】
各分割内周壁部５４ａ，５４ｂは、前記分割外周壁部５３ａ，５３ｂを形成する前記筒体より軸心方向の長さが短く、且つレベリングボルト１００の断面六角形状のトルク伝達部１０３を同軸で嵌入し得る六角形状の内穴を有した断面が六角形状の筒体を、軸心に沿って二分割した形状をなしている。該分割内周壁部５４ａ，５４ｂは、前記軸心方向の両端のそれぞれが、分割外周壁部５３ａ，５３ｂの上下方向（前記軸心方向）の両端から所定距離内部側に位置し、且つ分割外周壁部５３ａ，５３ｂの内周面に対して所定間隔を有するように、前記リブ５５ａ，５５ｂを介して分割外周壁部５３ａ，５３ｂに連設されている。
【００４３】
該分割内周壁部５４ａ，５４ｂの内周面には、両端部（両端からトルク伝達部１０３の軸心方向の長さと略同等の範囲）を除いて軸心方向に延びるように、ネジ支持突条５７が設けられている。
【００４４】
上記構成の一対の分割成形体５１ａ，５１ｂは、上述の如く組み合わせることにより、筒状をなす保護カバー５０を形成し、当該保護カバー５０内部における上下方向の両端部に、レベリングボルト１００の頭部１０２を収容する前記頭収容部７０が形成され、該頭収容部７０同士を連通させてレベリングボルト１００のネジ部１０１を収容する前記ネジ収容部６０が形成されるようになっている。
【００４５】
前記頭収容部７０は、トルク伝達部１０３を収容する伝達収容部７１と、該保護カバー５０の上下端面に開口を形成して前記設置部１０４を収容する設置収容部７２とで構成されている。
【００４６】
前記伝達収容部７１は、組み合わされた分割内周壁部５４ａ，５４ｂの上下端部における内周面に包囲された領域で構成されている。設置収容部７２は、伝達収容部７１と連設されており、分割外周壁部５３ａ，５３ｂの端部の内周面に包囲された領域で構成されている。
【００４７】
該設置収容部７２は、収容した頭部１０２が下方に向けて移動した際に、該頭部１０２が接地面Ｇに接触できるように構成されている。つまり、保護カバー５０が筒状に形成されることで、両端に開口が形成され、レベリングボルト１００の頭部１０２が上下方向に移動した際に、頭部１０２の設置部１０４が前記開口を介して接地面Ｇに設置できるようになっている。
【００４８】
前記ネジ収容部６０は、分割内周壁部５４ａ，５４ｂの内周面で包囲した領域のうち、両端部の領域（伝達収容部７１）を除いた領域で構成されており、該ネジ収容部６０にネジ部１０１を収容した状態で、前記ネジ支持突条５７の先端部が、ネジ部１０１の外周面に略当接して、ネジ部１０１に対して略一定の態様で取り付け得るようになっている。
【００４９】
上記構成の保護カバー５０を取り付けるには、前記頭収容部７０を形成する分割外周壁部５３ａ，５３ｂの端部、及び分割内周壁部５４ａ，５４ｂの端部の内周面を、装置本体Ａの下面から突出したレベリングボルト１００の頭部１０２の配置位置に対応させ、且つネジ収容部６０を形成する分割内周壁部５４ａ，５４ｂの内周面をネジ部１０１に対応させた状態で、レベリングボルト１００を挟み込むようにして、分割外周壁部５３ａ，５３ｂの係合爪５６ａ，５６ｂ同士を係合させる。
【００５０】
そうすると、ネジ収容部６０内に収容したネジ部１０１がネジ支持突条５７に略当接状態になるので、一対の分割成形体５１ａ，５１ｂ（分割外周壁５３ａ，５３ｂ）が、組み合わせ方向に対して直交方向へ移動するのが規制されることになり、一対の分割成形体５１ａ，５１ｂのそれぞれの係合爪５６ａ，５６ｂ同士の係合状態が維持された状態になる。つまり、一対の分割成形体５１ａ，５１ｂの係合爪５６ａ，５６ｂは、ネジ収容部６０内にネジ部１０１が収容されていない状態では、一対の分割成形体５１ａ，５１ｂが組み合わせ方向と直交する方向に相対移動させることで、係合が容易に解除されるが、ネジ収容部６０内にネジ部１０１が収容されることで組み合わせ方向、及びこれに直交する方向での離脱しないようになる。
【００５１】
そして、このように係合爪５６ａ，５６ｂ同士を係合させることで、一対の分割成形体５１ａ，５１ｂが完全に組み合わされた状態となって、保護カバー５０が形成されることとなる。
【００５２】
そして、工具で保護カバー５０のトルク伝達面５２を挟み込み、該工具で保護カバー５０を中心線（ネジ収容部６０に収容したネジ部１０１の軸心）回りの一方向（締め付け方向）に回転させる。この際、保護カバー５０の回転による回転力が、分割内周壁部５４ａ，５４ｂの内周面を介してトルク伝達部１０３の狭持用平面１０５に伝達される。
【００５３】
そうすると、ネジ部１０１が上方（装置本体Ａ側）に移動しながらねじ込まれ、最終的にトルク伝達部１０３及び設置部１０４に少なくとも何れか一方（頭部１０２）と装置本体Ａの下面とにより、当該保護カバー５０（分割内周壁部５４ａ，５４ｂの下端面、及びネジ支持突条５７の下端部に少なくとも何れか一方と分割外周壁部５３ａ，５３ｂの上端面と）が狭持される。この状態で、レベリングボルト１００の設置部１０４が設置収容部７２に完全に収容された状態となって、保護カバー５０の取り付けが完了する。
【００５４】
従って、この状態で装置本体Ａ等を設置面Ｇ上に設置すると、レベリングボルト１００が設置面Ｇに接触することなく、保護カバー５０によって装置本体Ａが支持された状態となる。
【００５５】
他方、装置本体Ａを所定の設置場所に設置する際には、運搬してきた装置本体Ａを設置場所（設置面Ｇ上）に設置した後、工具で保護カバー５０のトルク伝達面５２を挟み込み、該工具で保護カバー５０を中心線回りの他方向（ネジ部１０１の緩み方向）に回転させる。
【００５６】
この際、保護カバー５０の回転による回転力が、分割内周壁部５４ａ，５４ｂの内周面を介してトルク伝達部１０３の狭持用平面１０５に伝達され、ネジ部１０１が下方（頭部１０２が装置本体Ａから離間する方向）に移動し、トルク伝達部１０３（頭部１０２）と装置本体Ａの下面による保護カバー５０の狭持状態が解除され、最終的には、レベリングボルト１００の設置部１０４が保護カバー５０の下端開口を介して設置面Ｇに接触した状態となる。
【００５７】
そうすると、装置本体Ａは、レベリングボルト１００によって支持され、保護カバー５０は、装置本体Ａを支持して移動が規制されていた状態から、該規制が解除された状態となる。
【００５８】
そして、係合状態にある係合爪５６ａ，５６ｂ間にマイナスドライバー等を差し込んで係合爪５６ａ，５６ｂを撓ませて係合を解除し、各分割成形体５１ａ，５１ｂをネジ部１０１から離間させるように、ネジ部１０１の軸心に対して直交方向に移動させることで、保護カバー５０（分割成形体５１ａ，５１ｂ）を取り外すことができる。
【００５９】
以上のように、上記構成の保護カバー５０は、装置本体Ａの下面から突出したネジ部１０１を収容するネジ収容部６０と、該ネジ収容部６０に連設されて前記頭部１０２を収容する頭収容部７０とを備え、頭収容部７０は、頭部１０２に対して軸心回りの回転力を伝達可能に形状設定されているので、保護カバー５０を回転させることで、レベリングボルト１００（頭部１０２）を上下方向に移動させることができ、これによって、保護カバー５０自身の狭持（取り付け）、及び狭持の解除を行うことができる。
【００６０】
また、頭収容部７０は、ネジ部１０１が下方に移動した際に、頭部１０２（設置部１０４）が接地面Ｇに接触できるように、保護カバー５０の下端面に開口を形成し、保護カバー５０は、装置本体Ａを設置した状態でネジ部１０１から軸心と直交する方向に離脱できるように構成されているので、保護カバー５０の狭持状態が解除されてから更に、保護カバー５０を緩み方向に回転させることで、設置部１０４が接地面Ｇに接触し、レベリングボルト１００で装置本体Ａを支持させることができる。これにより、保護カバー５０の移動規制が解除され、装置本体Ａを設置した状態で、保護カバー５０をネジ部１０１の軸心と直交方向に移動、すなわち、一対の分割成形体５１ａ，５１ｂのそれぞれをネジ部１０１の軸心と直交方向に移動させるだけで、レベリングボルト１００から保護カバー５０を取り外すことができる。
【００６１】
また、係合爪５６ａ，５６ｂを、ネジ収容部６０にネジ部１０１を収容した状態では係合が解除されないように構成したので、装置本体Ａの運搬等による振動等で、レベリングボルト１００のねじ込みがゆるんで、保護カバー５０の狭持状態が解除されても、係合爪５６ａ，５６ｂ同士の係合により、レベリングボルト１００を包囲した保護カバー５０の形態を維持することができ、レベリングボルト１００のネジ部１０１及び頭部１０２を保護することができる。
【００６２】
さらに、一対の分割成形体５１ａ，５１ｂのそれぞれが同一の構成であるので、分割成形体５１ａ，５１ｂごとに金型を製造する必要がなく、一つの金型で一対の分割成形体５１ａ，５１ｂのそれぞれを成形することができ、当該保護カバーを低コストで製造することができる。
【００６３】
上記保護カバー５０は、当該保護カバー５０の上下方向の中心線、すなわち、収容したネジ部１０１の軸心回りの回転力を外部から付与できるように外形が設定されているので、保護カバー５０を介してレベリングボルト１００の締め付け、及びその解除を確実にすることができ、これによって保護カバー５０の取り付け、及び取り外しを容易に行うことができる。
【００６４】
また、保護カバー５０（分割成形体５１ａ，５１ｂ）は、樹脂により成形されているので、水分等が付着しても定型を維持することができ、長期に亘ってレベリングボルト１００を確実に保護することができる。
【００６５】
また、保護カバー５０の外周面に、中心線を基準にして対称な一対のトルク伝達面５２（本実施形態においては三対）を形成したので、モンキレンチやスパナレンチ等の工具を用いて、保護カバー５０を介してレベリングボルト１００に所定の回転力を付与することができ、保護カバー５０の取り付け、取り外しを容易且つ迅速に行うことができる。
【００６６】
また、保護カバー５０を形成する分割成形体５１ａ，５１ｂは、分割外周壁部５３ａ，５３ｂと分割内周壁部５４ａ，５４ｂとをリブ５５ａ，５５ｂで接続した構成にし、分割外周壁部５３ａ，５３ｂと分割内周壁部５４ａ，５４ｂとの間に空間を形成するようにしたので、当該保護カバー５０（分割成形体５１ａ，５１ｂ）を中実で成形したものに比して軽量にすることができ、材料コストをも低減することができる。
【００６７】
また、ネジ収容部６０にネジ支持突条５７を設けたので、当該保護カバー５０をレベリングボルト１００に取り付けた際に、ネジ部１０１をネジ支持突条５７で狭持した状態にすることができ、当該保護カバー５０を安定した状態で取り付けることができる。
【００６８】
尚、本発明のレベリングボルトの保護カバーは、上記実施形態に限定されるものではなく、本発明の要旨を逸脱しない範囲内において種々変更を加え得ることは勿論である。
【００６９】
上記実施形態において、工具を用いて保護カバー５０を回転させるべく、断面六角形状にして三対のトルク伝達面５２を形成したが、これに限定されるものではなく、例えば、保護カバー５０の中心線を基準に平面状をなす一対のトルク伝達面５２を対称に形成したり、保護カバー５０の外周面に複数対のトルク伝達面５２を形成し、断面多角形状にしたりしてもよい。このようにしても、工具を用いることで、トルク伝達面５２を介して保護カバー５０に外部から大きな回転力を付与することができる。
【００７０】
また、保護カバー５０にトルク伝達面５２を形成せずに、保護カバー５０の中心線と直交する方向で外部に向けて突出するように、保護カバー５０にハンドルを設けてもよい。このようにしても、工具を用いたのと同様に、保護カバー５０を介してレベリングボルト１００のトルク伝達部１０３に回転力を付与することができる。このようにハンドルを設ける場合には、当該ハンドルを保護カバー５０に対して着脱可能に構成することが好ましい。
【００７１】
上記実施形態において、分割外周壁部５３ａ，５３ｂに係合爪５６ａ，５６ｂを設けたが、これに限定されるものではなく、例えば、分割成形体５１ａ，５１ｂを単に組み合わせるようにして、レベリングボルト１００の頭部１０２と、装置本体Ａの下面とで、一対の分割成形体５１ａ，５１ｂを狭持状態にすることで、該分割成形体５１ａ，５１ｂで保護カバー５０を形成するようにしてもよい。なお、不用意に狭持状態が解除されても、分割成形体５１ａ，５１ｂを組み合わせた状態を確実に維持させるには、上記実施形態と同様にすることが好ましい。
【００７２】
上記実施形態において、分割成形体５１ａ，５１ｂを分割外周壁部５３ａ，５３ｂと分割内周壁部５４ａ，５４ｂとをリブ５５ａ，５５ｂで接続して中空状態で形成したが、これに限定されるものではなく、例えば、上記実施形態における分割成形体５１ａ，５１ｂの分割周壁部の外周面に相当する外周面と、分割内周壁部５４ａ，５４ｂの内周面に相当する内周面を有するように、分割成形体５１ａ，５１ｂを中実で形成するようにしてもよい。但し、軽量化、材料コストの低減を図るには、上記実施形態の構成を採用することが好ましい。
【００７３】
上記実施形態において、保護カバー５０である保護カバー５０（分割成形体５１ａ，５１ｂ）を射出成形で成形したが、これに限定されるものではなく、中実材料に機械加工を加えて成形してもよい。また、保護カバー５０は、樹脂製に限定されるものではなく、金属製であってもよい。金属材料を用いる場合には、軽量化を図るべく、アルミ合金等を採用することが好ましい。
【００７４】
上記実施形態において、保護カバー５０の上下の両側に頭収容部７０を形成したが、これに限定されるものではなく、下方側に配される保護カバー５０の下端部にのみ頭収容部７０を形成するようにしてもよい。
【００７５】
上記実施形態にかかるレベリングボルト１００は、トルク伝達部１０３が断面六角形状に形成されたものを採用したため、伝達収容部７１をトルク伝達部１０３の外形状に対応して断面略六角形状に構成したが、これに限定されるものではなく、例えば、レベリングボルト１００のトルク伝達部１０３に平面部が設けられておらず、トルク伝達部１０３にハンドルが突設されたり、棒状のハンドルを挿入する穴が穿設されたりする場合には、伝達収容部７１は、トルク伝達部１０３の態様に対応させて、一対の分割成形体５１ａ，５１ｂを組み合わせた際に、トルク伝達部１０３に突設されたハンドルが嵌り込む穴部を有する形態にしたり、前記トルク伝達部１０３の穴の嵌合するハンドルに相当する突部を突設したりして、回転力をトルク伝達部１０３に伝達し得るように構成すればよい。
【００７６】
上記実施形態において、ネジ収容部６０にネジ支持突条５７を設けたが、これに限定されるものではなく、例えば、分割内周壁部５４ａ，５４ｂの内周面でネジ部１０１直接支持するようにしてもよい。
【００７７】
また、上記実施形態において、装置本体Ａに螺合したレベリングボルト１００に対し、一対の分割成形体５１ａ，５１ｂで挟み込むようにして保護カバー５０を取り付けるようにしたが、保護カバー５０の取り付けは、これに限定されるものではなく、保護カバー５０の取り付けについては、例えば、予め一対の分割成形体５１ａ，５１ｂを組み合わして保護カバー５０を形成し、該保護カバー５０にレベリングボルト１００を挿通した状態で、当該レベリングボルト１００を装置本体Ａの下面に螺合するようにしても勿論よい。
【００７８】
【発明の効果】
以上のように、本発明にかかるレベリングボルトの保護カバーによれば、装置本体の下面に螺合された棒状のネジ部と、該ネジ部の下端に連設されて設置面上に設置される頭部とを備え、前記頭部が、ネジ部の外径に比して大径に設定されるとともに、外部からネジ部の軸心回りに回転力を付与可能に構成されたレベリングボルトの保護カバーであって、前記ネジ部の軸心に対して直交する方向で互いに組み合わせることで、装置本体の下面から下方に突出したネジ部を収容するネジ収容部と、該ネジ収容部に連設されて前記頭部を収容する頭収容部とを形成する複数の分割成形体で構成され、前記頭収容部は、前記頭部に対して軸心回りの回転力を伝達可能に構成されるとともに、下方側に移動した頭部が設置面に接触可能に構成されているので、装置本体を長期に亘って保管しても、レベリングボルトを確実に保護することができ、且つ装置本体を設置した状態で取り外すことができる。
【図面の簡単な説明】
【図１】本発明の一実施形態にかかる保護カバーの一部断面を含んだ側面図を示す。
【図２】同実施形態にかかる保護カバーの斜視図を示す。
【図３】同実施形態にかかる保護カバーの平面図を示す。
【図４】従来の保護カバーの分解斜視図を示す。
【図５】従来の保護カバーでレベリングボルトを保護した状態の断面図を示す。
【符号の説明】
５０…保護カバー、５１ａ，５１ｂ…分割成形体、５２…トルク伝達面、５３ａ，５３ｂ…分割外周壁部、５４ａ，５４ｂ…分割内周壁部、５５ａ，５５ｂ…リブ、５６ａ，５６ｂ…係合爪、５７…ネジ支持突条、６０…ネジ収容部、７０…頭収容部、７１…伝達収容部、７２…設置収容部、１００…レベリングボルト、１０１…ネジ部、１０２…頭部、１０３…トルク伝達部、１０４…設置部、１０５…狭持用平面、Ａ…装置本体、Ｇ…設置面
【図１】
2005011244.tif 000003
【図２】
2005011244.tif 000004
【図３】
2005011244.tif 000005
【図４】
2005011244.tif 000006
【図５】
2005011244.tif 000007